(57)【特許請求の範囲】
【請求項１】
左右の竪枠と、左右の竪枠間に架設した上下枠および無目を備え、竪枠と上下枠および無目により形成する上下の開口部にパネルまたは可動障子を備えた段窓のサッシにおいて、無目を上下面が可動障子に対応した主部材と、主部材の上下面に嵌着可能で、パネルに対応した上下補助部材とから構成し、
無目の上または下、あるいは両方に方立を架設し、上下の開口部にパネルを備えた嵌殺しサッシの場合は、方立の上端面または下端面を上補助部材上面または下補助部材下面に当接させ、方立と上下補助部材を直接的に固定する一方、
無目の上または下、あるいは両方の開口部に可動障子を備えた段窓の引違いサッシの場合は、上または下、あるいは両方の補助部材を取外した主部材のみでサッシ枠を構成して成ることを特徴とするサッシ。
【請求項２】
左右の竪枠と、左右の竪枠間に架設した上下枠と、上下枠間に架設した方立を備え、竪枠と上下枠と方立が形成する開口部にパネルを備え、パネルに巾木を備えたサッシにおいて、巾木を主部材と、主部材の下面に固着する補助部材とから構成し、主部材の両端面を方立の下部側面と竪枠の下部側面に、補助部材の上面を方立の下端面に夫々当接させ、方立と補助部材と下枠および左右の竪枠を直接的に固定して成ることを特徴とするサッシ。
【発明の詳細な説明】
【技術分野】
【０００１】
本発明は、枠に横材を備えたサッシに関し、詳しくは、横材である無目と巾木の構成、およびそれらと方立との固定方法に関する。
【背景技術】
【０００２】
サッシは開閉方法で区分すると、嵌殺し、引違い、片引き等の種類がある。また、無目６と呼ばれる横材を介して上下方向に連続する段窓、あるいは、方立７と呼ばれる竪材を介して横方向に連続する連窓と称するサッシがある。そして、これらの組合わせた多種多様な形態のサッシがある。以降の説明の為にサッシの形態として、図９（ａ）〜（ｅ）に５例の正面図を示す。また、図１０（ａ），（ｂ）に従来サッシの縦横の断面（図９（ａ）におけるＴ−Ｔ，Ｕ−Ｕの各断面）を示す。および、図１１（ａ）に従来の巾木を備えたサッシの要部（図９（ｅ）におけるＳ部の一部断面）拡大図と（ｂ），（ｃ）に要部の各断面Ｑ−Ｑ，Ｒ−Ｒを示す。
【０００３】
これらのサッシは、窓枠に左右の竪枠２，３と、左右の竪枠間に架設した上下枠４，５を備え、（ａ）は上下嵌殺し、（ｂ）は上下引違い、（ｃ）は上引違い／下嵌殺し、（ｄ）は上嵌殺し／下引違い、と称される。そして、左右の竪枠２，３間に架設した無目６を備える段窓である。さらに、（ａ），（ｃ），（ｄ）は、上下枠４，５と無目６との間に架設した方立７を備える連窓でもある。そして、竪枠２，３と上下枠４，５と無目６と方立７とが形成する各開口部に、嵌殺し用のパネル８、または引違い用の可動障子９を備える。（ｂ）の上下引違いサッシは、方立７が無く、上下の開口部に夫々可動障子９を備える。この他、上記の（ａ）上下嵌殺しサッシにおいて、左右の開口部いずれか一方に可動障子９を備えた上下片引き、および上下何れか一方に可動障子９を備えた形態もある（図示せず）。
【０００４】
従来、これら（ａ）〜（ｄ）のサッシでは、夫々専用の無目６を使用し、（ａ），（ｃ），（ｄ）のサッシでは、方立７と無目６との接合に図１０に示す連結用金具６１とねじ６２、あるいは、特許文献１に記載された上下押縁係止材を用い、間接的に無目と方立を固定していた。
【０００５】
図９（ｅ）のサッシは、上下枠４，５の間に架設した方立７を備え、竪枠２，３と上下枠４，５と方立７とが形成する各開口部にパネル８、および可動障子９を備えた片引きサッシである。さらに、パネル側に巾木（幅木）２２と呼ばれる横材を備えている。そして、見付方向の室外側が可動障子９の引違いで、室内側がパネル８の嵌殺しで、巾木２２は嵌殺し側の下枠５の上部に備えられている。この巾木２２は、外的な衝撃を受けやすい室内側の建具下部からパネル８をかさ上げして支持することで、パネル８の破損を防止するものである。
【０００６】
従来はこのような巾木がある場合、特許文献２に記載されたサッシのように、連結用金具を用い、巾木と縦中骨（方立）を間接的に固定していた。また、連結用金具の使用が困難な場合は、図１１に示すように、方立７の下部側面と竪枠３の下部側面に挟着された巾木２２の両端をねじ６３で固定していた。この方法は、下枠内に延設した方立７の下部７ａを下枠５の室内側前面から１本のねじ６４で固定し、巾木２２と下枠５は固定されていない。これは、下枠５が中空形状なので巾木２２をねじ等で固定できない為である。一方、方立７の上部は、図９（ｅ）に例示した単窓の場合は上枠４にねじで固定し、段窓の場合は無目６に上記の連結用金具６１で間接的に固定していた（図示せず）。
【０００７】
【特許文献１】特開２００５−１４６５１０号公報
【特許文献２】特開平１１−１０７６３７号公報
【発明の概要】
【発明が解決しようとする課題】
【０００８】
従来の無目６または巾木２２と方立７との固定方法では、連結用金具６１の保管、管理が面倒で、連結用金具６１を取付る際に手が入りにくく、サッシの組立が容易でないといった問題があった。一方、従来の無目６の形状では、上記の（ａ）〜（ｄ）４形態の場合、無目６の形材は４種類必要となるが、スウィング等の窓種が加われば更に多くの種類が必要になる。また、連結用金具６１も方立７との組合わせで非常に多くの種類が必要になる。さらに、無目６は、断面形状が複雑で寸法も大きいので、形材押出用の型費等の製造コストが高いうえ、形材の種類が多いとプレス型が多く必要になる。したがって、サッシの製造に係るイニシャルコストが高くなるという問題があった。
【０００９】
一方、図１１に示す従来の巾木２２および方立７の固定方法では、方立下部７ａの取付強度が不足し、および巾木２２も下枠５に固定されていないので、巾木２２が衝撃を受けた際に方立下部７ａの取付け部が破損するおそれがあった。また、巾木２２と下枠５が固定されていないので、両者の接合部に隙間が生じやすく、そこから水が浸入するおそれがあった。
本発明は、従来技術における上記問題点を解決したサッシを提供することを目的とするものである。
【課題を解決するための手段】
【００１０】
上記目的を達成するために第１の課題解決手段は、左右の竪枠と、左右の竪枠間に架設した上下枠および無目を備え、竪枠と上下枠および無目により形成する上下の開口部にパネルまたは可動障子を備えた段窓のサッシにおいて、無目を上下面が可動障子に対応した主部材と、主部材の上下面に嵌着可能で、パネルに対応した上下補助部材とから構成し、無目の上または下、あるいは両方に方立を架設し、上下の開口部にパネルを備えた嵌殺しサッシの場合は、方立の上端面または下端面を上補助部材上面または下補助部材下面に当接させ、方立と上下補助部材を直接的に固定する一方、無目の上または下、あるいは両方の開口部に可動障子を備えた段窓の引違いサッシの場合は、上または下、あるいは両方の補助部材を取外した主部材のみでサッシ枠を構成して成ることを特徴とする。
第１の課題解決手段の作用は次の通りである。すなわち、無目を主部材と上下補助部材から成る分割構成としたので、方立を補助部材に直接ねじで固定可能になり、連結用金具が不要となる。
また、同一の主部材と製造コストが安い上下補助部材を使用して数種類の形態に対応可能になり、製造コストが高い無目の種類を減らすことができる。
【００１３】
第２の課題解決手段は、左右の竪枠と、左右の竪枠間に架設した上下枠と、上下枠間に架設した方立を備え、竪枠と上下枠と方立が形成する開口部にパネルを備え、パネルに巾木を備えたサッシにおいて、巾木を主部材と、主部材の下面に固着する補助部材とから構成し、主部材の両端面を方立の下部側面と竪枠の下部側面に、補助部材の上面を方立の下端面に夫々当接させ、方立と補助部材と下枠および左右の竪枠を直接的に固定して成ることを特徴とする。
第２の課題解決手段の作用は次の通りである。すなわち、巾木を主部材と補助部材とから成る分割構造にしたので、方立を補助部材に直接ねじで固定可能になり、連結用金具が不要となる。また、下枠に容易に固定可能な補助部材を、主部材と方立および左右の竪枠に固着して下枠に確実に固定できる。
【００１５】
本発明のサッシによれば、連結用金具の保管、管理が不要なうえ、サッシの組立が容易に行なえる。
【図面の簡単な説明】
【００１６】
【図１】本発明に係る上下嵌殺しサッシの正面図である（形態１）。
【図２】図１のＸ−Ｘ断面図である。
【図３】図１のＹ−Ｙ断面図である。
【図４】図２のＺ−Ｚ断面図である。
【図５】本発明に係る上下引違いサッシの断面図である（形態２）。
【図６】本発明に係るサッシの正面図と要部拡大図である（形態３）。
【図７】図６のＶ−Ｖ断面図である。
【図８】図６のＷ−Ｗ断面図である。
【図９】本発明に係るサッシの形態を示した正面図である。
【図１０】従来サッシの断面図である。
【図１１】従来サッシの要部拡大図とその断面図である。
【発明を実施するための形態】
【００１７】
まず最初に［形態１］を、図１〜図４を参照しながら説明する。図１に示すサッシは、窓枠に、左右の竪枠２，３と、左右の竪枠間に架設した上下枠４，５および無目６と、上下枠４，５と無目６との間に架設した上下方立７Ａ，７Ｂとを備えている。無目６は請求項１でいう横材である。そして、竪枠２，３と上下枠４，５と無目６と方立７Ａ，７Ｂとが形成する各開口部には、ＦＩＸガラス等のパネル８が取り付けられている。このサッシは、無目の上下に方立を架設し、すべての開口部にＦＩＸガラスを取り付けた段窓の上下嵌殺しサッシ１である。図２，３は、図１の上下嵌殺しサッシ１の断面図で、夫々Ｘ−Ｘ断面、Ｙ−Ｙ断面を示し、図４は図３のＺ−Ｚ断面を示す。本発明のサッシは、図３に示すように、無目６が主部材６Ａと主部材の上下面に嵌着可能な上下補助部材６Ｂ，６Ｃとから構成されている。上下補助部材６Ｂ，６Ｃの嵌着具合は、手で着脱可能な程度が好ましい。
【００１８】
次に［形態２］を、図５を参照しながら説明する。図５は、図９の（ｂ）に示すように、方立が無く上下の開口部に可動障子９を取付けた段窓の上下引違いサッシの断面を示す。可動障子９は、上下框１０，１１と、戸先、召し合わせ框の４部材で周を構成し、パネルとして複層ガラス１２がパッキン１３を介して支持されている。可動障子９は、下框１０に戸車１４を備え、可動障子９はスムーズに可動するようになっている。
【００１９】
そして、図５に示すように、主部材６Ａは、その上下面が可動障子９に対応し、可動障子上下部を直接支持できる形状に形成されている。このように、上下の開口部に可動障子９を備えた段窓の上下引違いサッシの場合は、上下補助部材６Ｂ，６Ｃを取外した主部材６Ａのみでサッシ枠を構成する。
【００２０】
一方の上下補助部材６Ｂ，６Ｃはパネル８に対応し、図３に示すように、上面または下面にパネル８を挟持できる形状に形成されている。すなわち、パネル８の上下部は、上下枠４，５と上下補助部材６Ｂ，６Ｃの間に押縁１５とシーリング材１６を介して挟持されている。また、パネル８の左右部は、図２に示すように、左右の竪枠２，３と上下方立７Ａ，７Ｂの間に押縁１５とシーリング材１６を介して挟持されている。このように、開口部にパネル８を備えた段窓の嵌殺しサッシ１の場合は、主部材６Ａに補助部材６Ｂ，６Ｃを取付た無目６でサッシ枠を構成する。なお、後述するが上下補助部材６Ｂ，６Ｃは、いずれか一方のみの場合もある。
【００２１】
本発明のサッシは、図４に示すように、上部方立７Ａの両端面を上枠４の下面と上補助部材６Ｂの上面に当接させ、上部方立７Ａに一体成型されたねじ立可能部のタッピングリブ１７に、上補助部材６Ｂおよび上枠４上方から直接ねじ１８をねじ込んで固定する。同様に下部方立７Ｂも両端面を下補助部材６Ｃの下面と下枠の上面５に夫々当接させ、下部方立７Ｂに一体成型されたタッピングリブ１７に、下補助部材６Ｃおよび下枠５下方から直接ねじをねじ込んで固定する（図示せず）。さらに、主部材６Ａと上下補助部材６Ｂ，６Ｃは、図１〜４に示すように、その両端面を左右の竪枠２，３の内側面に夫々当接させ、上下補助部材６Ｂ，６Ｃに一体成型されたタッピングリブ１７に、竪枠２，３側方からねじ１８をねじ込んで固定される。
【００２２】
このように、本発明の上記［形態１］の上下嵌殺しサッシ１によれば、無目６を主部材６Ａと上下補助部材６Ｂ，６Ｃとから成る分割構成にすることで、方立７を上下補助部材６Ｂ，６Ｃにねじ１８で直接的に固定可能になり、方立７の固定に連結用金具を使用しないので、その保管、管理が不要なうえ、サッシ枠の組立が容易に行なえる。
また、本発明の上記［形態２］の上下引違いサッシによれば、同一の主部材６Ａに製造コストが低い上下補助部材６Ｂ，６Ｃを組合わせて数種類の形態に対応できるので、製造コストが高い無目６（主部材６Ａ）の種類を減らすことができる。よって、サッシのイニシャルコストを低減できる。
また、上下補助部材６Ｂ，６Ｃおよび方立７Ａ，７Ｂは、タッピングリブ１７に直接ねじ１８をねじ込んで固定するので、十分なねじ込み量を確保できる。よって、それらの取付強度をより向上できる。
【００２３】
本発明は、上記［形態１］で例示した上下嵌殺しサッシ１や、［形態２］で例示した上下引違いサッシのみならず、図９（ｃ）に示す上引違い／下嵌殺し、および（ｄ）に示す上嵌殺し／下引違いのサッシ等、段窓サッシであれば当然適用可能である。この場合、上下補助部材６Ｂ，６Ｃは、いずれか一方のみとなる。すなわち、上引違い／下嵌殺しは、無目６の主部材６Ａの下面に下補助部材６Ｃのみを嵌着し、下補助部材６Ｃと下枠５間に下部方立７Ｂを架設する。一方、上嵌殺し／下引違いは、主部材６Ａの上面に上補助部材６Ｂのみを嵌着し、上補助部材６Ｂと上枠４間に上部方立を架設する。そして、上下方立７Ａ，７Ｂの上下端面を上枠４と上補助部材６Ｂ、または下補助部材６Ｃと下枠５に当接させて固定する。
【００２４】
次に、下枠上部に巾木を備えたサッシの実施形態である［形態３］を、図６〜図８を参照しながら説明する。但し、［形態１］，［形態２］と同じまたは同種の構成部には同じ符号を付して重複する説明を省略する。
【００２５】
［形態３］
本発明のサッシは、図６にその構成を示すように、室内側から見て右側がパネル８を配した嵌殺し、左側が可動障子９を配した引違い、の片引きサッシ２１である。
片引きサッシ２１は、左右の竪枠２，３と、左右の竪枠間に架設した上下枠４，５と、上下枠の間に架設した方立７とを備え、竪枠２，３と上下枠４，５と方立７とが形成する各開口部にパネル８および可動障子９を備えている。さらに、下枠５上部の方立７と右竪枠３間に、パネル８下部を支持する巾木２２を備えている。巾木２２は請求項１でいう横材である。そして、図６に示すように巾木２２が、主部材２２Ａと補助部材２２Ｂとから構成されている。
【００２６】
主部材２２Ａは、両端面が方立７の下部側面と右竪枠３の下部側面に夫々当接され、主部材２２Ａに一体成型されたタッピングリブ１７に、方立７および右竪枠３側方から直接ねじ２３をねじ込んで固定される。
【００２７】
一方の補助部材２２Ｂは、主部材２２Ａの下面に当接され、下方からねじ２３で固着されている。そして、長手方向寸法は下枠５と同一で、一体成型されたタッピングリブ１７を備えており、両端面が左右の竪枠２，３に当接され、竪枠側方からタッピングリブ１７に直接ねじ（図示すせず）をねじ込んで固定される。また、補助部材２２Ｂは、上面が方立７の下端面に当接されて固定され、方立７に一体成型されたタッピングリブ１７に直接ねじ２３をねじ込んで固定される。そして、下面が下枠５の上面に当接され、上方からねじ２３で固定されている。
【００２８】
なお、図示しないが、左右の竪枠間に架設した無目６を備え、上下枠４，５と無目６との間に方立７を架設した段窓サッシの場合は、方立７の上端面は、［形態１］で説明した分割構造の無目６の下補助部材６Ｂに当接させる。一方、本実施の［形態３］のように単窓サッシの場合は上枠４に当接させる。そして、方立７に一体成型されたタッピングリブ１７に、下補助部材６Ｂ、または上枠４上方から直接ねじをねじ込んで固定する。
【００２９】
このように、本発明の上記［形態３］のサッシによれば、巾木２２を主部材２２Ａと補助部材２２Ｂとから成る分割構造にしたので、方立７を補助部材２２Ｂに直接的にねじ２３で固定可能になり、方立７の固定に連結用金具を使用しないので、その保管、管理が不要なうえ、サッシ枠の組立が容易に行なえる。
また、下枠５への固定が容易な補助部材２２Ｂを、下枠５に固定困難な主部材２２Ａと方立７に固着し、補助部材２２Ｂを下枠５および左右の竪枠２，３に強固に固定したので、方立７の取付強度が増すと共に、方立７の固定と水密性の確保が確実にできる。
また、補助部材２２Ｂを、タッピングリブ１７に直接ねじ２３をねじ込んで竪枠２，３と方立７に固定するので、十分なねじ込み量を確保できる。よって、それらの取付強度をより向上できる。
【００３０】
本発明は、上記［形態３］で例示した片引きサッシ２１のみならず、図９（ａ）の上下嵌殺し、および（ｃ）の上引違い／下嵌殺しのサッシ等、下部が嵌殺しであれば単窓、段窓に関わらず適用可能である。
また、本発明は、上述した実施形態に限定されるものではなく、発明の要旨を逸脱しない範囲内において無目や巾木の形状、およびサッシ枠の構成の一部を適宜変更して実施することができる。
【符号の説明】
【００３１】
１  上下嵌殺しサッシ
２  左竪枠
３  右竪枠
４  上枠
５  下枠
６  無目（横材）
６Ａ  主部材
６Ｂ  上補助部材 
６Ｃ  下補助部材
７  方立
７Ａ  上部方立
７Ｂ  下部方立
８  パネル
９  可動障子
１７  タッピングリブ（ねじ立可能部）
１８  ねじ
２１  片引きサッシ
２２  巾木（横材）
２２Ａ  主部材
２２Ｂ  補助部材
２３  ねじ
【図１】
0005696876.tif 000002
【図２】
0005696876.tif 000003
【図３】
0005696876.tif 000004
【図４】
0005696876.tif 000005
【図５】
0005696876.tif 000006
【図６】
0005696876.tif 000007
【図７】
0005696876.tif 000008
【図８】
0005696876.tif 000009
【図９】
0005696876.tif 000010
【図１０】
0005696876.tif 000011
【図１１】
0005696876.tif 000012